(57)【要約】  本発明の目的は、ウェハ状の薬剤を安全に服用できるようにすること、ディスペンサから薬剤を容易に取り出すことができるようにすること、ディスペンサの補充を容易に行うことができるようにすること、一度調整済みのウェハポケットの束のウェハポケット３０の順番を不正に変更することなくチェックできるようにすることである。この目的のために、ディスペンサ１と、ディスペンサ１に挿入することができ、かつディスペンサ１に取り出し可能に固定することができるウェハポケットアセンブリ１００を提供する。複数のウェハがウェハポケット２０に包装ねられる。本発明に係るディスペンサ１は、それぞれ１つのウェハが入った２つ以上のウェハポケット２０の束を含み、各ウェハポケット２０は、ウェハが入ったウェハ部２１とウェハ部２１が取り出されたときにディスペンサ１の中に残る少なくとも１つの残留部１４からなる。更に、ディスペンサ１は、ウェハポケットの束を収納する収容室９とディスペンサ１から１つのウェハポケット２０を排出方向Ａへ排出することができる少なくとも１つの排出開口部５を含む。ウェハポケットの束は、ディスペンサ１に少なくとも１つの固定手段１９によって保持される。ウェハポケット２０は、グループ化され、ウェハポケットのアセンブリ１００のディスペンサ１のなかで取り出し可能に固定する保持要素１０によって互いに連結されてウェハポケットの束にされ、保持要素１０は少なくとも１つの固定手段１９でウェハポケット２０のそれぞれの残留部分２４を分離しないように保持し固定する。
2013515526.tif 000002
【特許請求の範囲】
【請求項１】
ディスペンサ（１）の中に挿入できその中に取り出し可能に固定されるウェハポケットの綴り（１００）であって、それぞれウェハを収納する２つ以上のウェハポケット（２０）の束と、束状のウェハポケット（２０）のための保持要素（１０）とを具備し、前記保持要素（１０）によって複数の前記ウェハポケット（２０）が互いに連結され、前記ウェハポケット（２０）の各々が、ウェハを収納するウェハ部（２１）と、該ウェハ部（２１）が取り出されたときに前記保持要素（１０）の中に残る少なくとも１つの残留部（２４）とを有し、前記保持要素（１０）の中に残る前記残留部（２４）の各々が、少なくとも１つの固定手段（１９）によって保持されかつ外れないように固定されるウェハポケットの綴り（１００）。
【請求項２】
前記残留部（２４）の各々が、前記少なくとも１つの固定手段（１９）により前記保持要素（１０）の中に把持されることを特徴とする請求項１に記載のウェハポケットの綴り（１００）。
【請求項３】
前記少なくとも１つの固定手段（１９）が、突起部又はスパイクの形又は挿入片（３０）を受容する受容開口部の形に設計されるか、あるいは幾つかのかかる固定手段（１９）が組み合わされて存在することを特徴とする請求項１又は２のいずれかに記載のウェハポケットの綴り（１００）。
【請求項４】
前記少なくとも１つの受容開口部（１９）が、前記保持要素（１０）に配置されたスリーブの中に位置することを特徴とする請求項３に記載のウェハポケットの綴り（１００）。
【請求項５】
前記保持要素（１０）が、前記受容開口部（１９）を有する少なくとも１つのスリーブを含み、それぞれの挿入片（３０）の端部がそれぞれの受容開口部（１９）に圧入されることを特徴とする請求項１から４のいずれか１つに記載のウェハポケットの綴り（１００）。
【請求項６】
少なくとも１つの挿入片（３０）が、リベット、ねじ連結又はステープルの形で設計されることを特徴とする請求項５に記載のウェハポケットの綴り（１００）。
【請求項７】
前記保持要素（１０）が、後壁（１２．３）と、側壁（１２．１、１２．２、１５．１、１５．２）と、ベースプレート（１１）と、カバープレート（１３）とを有し、ディスペンサ（１）の当該ウェハポケットの綴り（１００）を受け入れる収容スペース（９）に少なくとも一方が開放していることを特徴とする請求項１から６のいずれか１つに記載のウェハポケットの綴り（１００）。
【請求項８】
複数の前記残留部（２４）が、前記ベースプレート（１１）と前記カバープレート（１３）の間に把持されることを特徴とする請求項７に記載のウェハポケットの綴り（１００）。
【請求項９】
前記ウェハポケット（２０）を固定するために、前記カバープレート（１３）及び／又は前記ベースプレート（１１）が、それぞれ突起部（１９）及び／又はそれぞれ少なくとも１つのスパイク（１９）を有することを特徴とする請求項７又は８のいずれかに記載のウェハポケットの綴り（１００）。
【請求項１０】
各々ウェハを収容する２つ以上のウェハポケット（２０）の束を収容するディスペンサ（１）であって、前記ウェハポケット（２０）の各々が、前記ウェハを収容するウェハ部（２１）と、前記ウェハ部（２１）が取り出されたときに当該ディスペンサ（１）の中に残る少なくとも１つの残留部（２４）とを有し、当該ディスペンサ（１）が、前記ウェハポケットの束を収容する収容スペース（９）と、前記ウェハポケット（２０）をそれぞれ取り出し方向（Ａ）へ当該ディスペンサ（１）から取り出すことができる少なくとも１つの取り出し開口部（５）とを有し、前記ウェハポケットの束が少なくとも１つの固定手段（１９）によってディスペンサ（１）の中に保持されるディスペンサにおいて、前記少なくとも１つの固定手段（１９）によって保持されかつ取り出し不能に固定されるウェハポケット（２０）の残留部（２４）によって、当該ディスペンサ（１）の中に取り出し可能に固定されるウェハポケットの綴り（１００）の保持要素（１０）によって前記ウェハポケットの束の中の複数の前記ウェハポケット（２０）が互いに組み合わされかつ連結されることを特徴とするディスペンサ（１）。
【請求項１１】
前記保持要素（１０）が、当該ディスペンサ（１）の中の前記ウェハポケット（２０）の取り出し開口部（５）の反対側に位置することを特徴とする請求項１０に記載のディスペンサ（１）。
【請求項１２】
最上部のウェハポケット（２０）を手で前方に押し出すことができるグリップ開口部（４）が当該ディスペンサ（１）の主外表面に導入されることを特徴とする請求項１０又は１１のいずれかに記載のディスペンサ（１）。
【請求項１３】
避妊又はホルモン補充療法のための薬用ウェハを保管しかつ供給するための請求項１０から１２のいずれか１つに記載のディスペンサ（１）の使用法。
【発明の詳細な説明】
【技術分野】
【０００１】
本発明は、ディスペンサに挿入されその中に取り出し可能に固定することができるウェハポケットの綴りに関し、また、ウェハが入った複数のウェハポケットのためのディスペンサに関する。この種のディスペンサは、例えば、ウェハ状の薬品や菓子類、具体的にはホルモン剤、更に具体的には避妊薬又はホルモン補充療法の提供、鎮痛薬又はニコチン等を入れた展示物などに使用される。
【背景技術】
【０００２】
ウェハ（可食フィルム、経口フィルムなどとも呼ばれる）は、適切な量の１又は複数の活性物質を包む水溶性のキャリア物質である。ウェハは口から服用され、口腔で溶解して活性物質を放出する。活性物質は口の粘膜を経て血流に直接届けられる。
【０００３】
ウェハ状の薬品又は菓子類は、一次包装を施されて提供又は保存され、ウェハが外気の湿気や空気に触れないようにかつ保存できるように、２枚の密閉フィルム、具体的にはキャリアフィルム及びカバーフィルム、すなわち外フィルム及び内フィルムの間に入れて包み密閉又は溶着されて提供される。ウェハは、密閉フィルムを引き裂いて開け一次包装から取り出され、通常口腔を経て服用される。このため、密閉フィルムは互いに切り離されるか引き裂かれて開封されウェハが取り出される。
【０００４】
特許文献１にかかる活性物質が入ったフィルムのための包装体が開示されている。この包装体はキャリア層とカバー層を有し、後者に切り離し可能につながっている。前記特許文献に開示された包装体に固有のデザインにおいて、この包装体はまた互いにペアになって対向して配置され、かつ１つの繋ぎ目部によって互いに分割された２つの面エリアを有し、前記配置内ではカバー層はキャリア層につながっていない。その結果、互いに分離され面全体が囲まれた、前記フィルムをペアで入れるための２つのスペースが形成される。さらに、前記繋ぎ目部にキャリア層がカバー層につながっていないさらなる面エリアが存在し、その結果全周が囲まれた空洞のスペースが形成されている。そして、繋ぎ目部にミシン目のラインがある。このダブル包装体の繋ぎ目部内のさらなる面エリアが引き裂き開封するための手がかりを形成し、包装された材料を収容することを意図した面エリアに比較して、引き裂き開封の手がかりを形成するために必要な面が少なくなるように形成されている。さらなる面エリアのミシン目のラインがこの面エリアの方向に延びている。ミシン目のラインのところにキャリア層及びカバー層に切り込みを作り、これを更に引き裂くことによって、上記さらなる面エリアがほぼ半分ずつ２つに分割される。包装体の２つの層を引き裂くことによって、引き裂き開封するための手がかりとして使える自由端が得られ、引き裂き開封するための手がかりが作られる。
【０００５】
特許文献２に、ウェハを包装するための他の実施例が開示されている。上記記載の包装体はウェハのための第１の面エリアを有し、この第１の面エリアはキャリアフィルム及びカバーフィルムによって全周を囲みその中に密閉又は溶着されている。この包装体は第２の面エリアを有し、キャリア層はカバーフィルムに連結されていない。さらに、少なくとも部分的に第２の面エリアの内部まで延びるミシン目のラインがあり、このミシン目はキャリア層及びカバー層の両方に施されている。ミシン目による切り込みにより、カバー層に持つための手がかりとして使える自由端を作る効果がえられ、キャリア層からカバー層を手で取り除くことができる。
【０００６】
また、これらの一次包装は、容易に二次包装に利用することができる。
【０００７】
例えば、特許文献３にウェハが入った束状のフィルムポケットを収納し提供するための取り出しデバイスが記載されている。このフィルムポケットは、大きな面積を有するキャリアフィルムと小さなカバーフィルムで形成され、キャリアフィルムはカバーフィルムの一端からはみ出ている。このディスペンサは、少なくとも２つに仕切られた筺体から成り、束状のフィルムポケットの両端が両側の内壁に接して位置し、一方、カバーフィルムの端部から突き出る関係するキャリアフィルムの端部が前側の内側端部に位置する。複数のフィルムポケットが、筺体の上部内側にスプリングの力で押し付けられている。筺体の前上部に、フィルムポケットのパーツとウェハを排出するための２つのスリットを有する。２つのスリットの間にナイフが配置され、カバーフィルムの前端の手前に、空間を置いて、最上部のキャリアフィルムが乗る。さらに、最上部のフィルムポケットの上に、最上部のフィルムポケットをディスペンサの外へ搬送するための回転式の搬送要素が乗っている。搬送中にこのナイフによってキャリアフィルムがカバーフィルムから引き剥がされ、ウェハはカバーフィルムに張り付いている。２つのフィルムは、２つのスリットを通って別々に排出される。
【０００８】
さらに、特許文献４に、複数の小袋からなるマルチパックが開示されている。このマルチパックは、少なくとも１つの活性物質を含むウェハが入った密閉された小袋を有し、ウェハは、密閉された小袋にそれぞれ密閉して保存される。密閉された小袋は束ねられてマルチパックとされ、所定の区切り綴じ目によって切り離し可能に取り付けられている。密閉された各小袋は、引き裂き開封部の境界となる所定の区切り綴じ目を有する。つまみ片が引き裂き開封部に連結されている。つまみ片を引くと、引き裂き開封部が開き、活性物質を含む製品が露出する。更につまみ片を引くと、所定の区切り線が分離する。マルチパックにまとめられた状態で、個々の密閉された小袋は、小袋を貫通して延在する２つの貫通開口部を貫通する２つのピンで保持されるか、又は形状嵌合又は圧入嵌合等の他の方法で固定される。マルチパックは、例えば、片開き式、スライド式又は取り外し式蓋を有する四角い箱でも良い。
【０００９】
さらに、特許文献５には、子どもには開けられない束状のブリスターパック用のブリスターパック容器が開示されている。この容器は底部、頂部及び後部からなり、後部にはブリスターパックを保持するためのデバイスが底部に付いている。保持デバイスはブリスターパックの穴を貫通できるピン又はパンチで構成され、これにより複数のブリスターパックを容器の中に固定する。容器は、ユーザがブリスターパックに触れて取り出すことができる蓋を有する。蓋を開けて、ユーザは一番上にあるブリスターパックを引き離して取り出す。
【００１０】
上記ウェハ用の一次及び二次包装は複雑であり、従って製造には相当な費用が必要となる。更に不便な点は、複数のウェハポケットが個々に二次包装に入れられる点（特許文献３、特許文献５）、及び／又は二次包装に固定的に連結される点である（特許文献４、特許文献５）。このことから、二次包装はユーザ又は製造業者によってウェハポケットが個々に充填されるか、又はウェハポケットが前もって充填された二次包装が製造業者によって提供される必要がある。従って、ユーザは、空になった二次包装を捨てるか、製造業者に返して補充をしてもらう必要がある。しかしながら、例えば、予め決められた薬事療法を守るために、複数のウェハポケットを特定の順序で順番に二次包装に充填する必要がある場合には、ユーザがウェハポケットを二次包装に充填することには問題がある。この場合、充填過程で過ちが生じ、特定の順序でウェハの服用を厳格に守ることに支障をきたす恐れがある。上記の問題は、複数のウェハポケットが二次包装に固定されれば解決することができる。しかしながら、ウェハポケットを使い切った後に二次包装を捨てることは、不必要な廃棄物を生じ、さらに新しい二次包装をその都度提供する必要があるので望ましくない。別の可能性、すなわち補充してもらうために二次包装を製造業者に返却することもまた、相当な輸送作業が生じるので不都合である。
【先行技術文献】
【特許文献】
【００１１】
【特許文献１】独国特許出願公開第１０  ２００６  ０４１  ９２１号明細書
【特許文献２】独国特許第１０  ２００４  ０４７  ４４７号明細書
【特許文献３】独国特許出願公開第１０１  ５９  ７４６号明細書
【特許文献４】独国特許第１０  ２００６  ０２２  １９８号明細書
【特許文献５】米国特許出願公開第 ２００６／０１５７３７４号明細書
【特許文献６】独国特許出願公開第１０  ２００８  ０１４  ５３３号明細書
【発明の概要】
【発明が解決しようとする課題】
【００１２】
従って、本発明は、二次包装にウェハポケットを入れて提供するための通常の解決策を用いて、可能な限り少ない輸送作業と材料費で厳密に決められた手順で二次包装にポケットを補充し、薬の服用療法が厳密に実施されるようにすることを目的とする。ウェハがディスペンサから取り出された後、ウェハが確かに所定の順序でディスペンサに入っているか確認できるようにすることを目的とする。さらに、ウェハポケットが二次包装から容易に取り出せるようにすることを目的とする。
【課題を解決するための手段】
【００１３】
上記目的は、ディスペンサに挿入し取り出し可能に固定することができ、それぞれウェハが入った相互に連結された２つ以上のウェハポケットからなる請求項１に記載のウェハポケットの綴りと、それぞれウェハが入った２つ以上のウェハポケットの束を入れるための請求項１０に記載のディスペンサと、請求項１３に記載のディスペンサの使用、によって達成される。本発明の好適な実施例は、各従属クレームに記載される。
【００１４】
ウェハポケットの中に入っているウェハは、具体的には避妊もしくはホルモン補充療法等に好適に用いられる医療用ウェハである。
【００１５】
以下、特定の構成要素に関して単数で言及する。例えば、保持要素、ウェハポケット、受入れスペース、ウェハポケットのウェハ部、ウェハポケットの残留部、固定手段、突起部、ノブ、スパイク、受容開口部、スリーブ、挿入片あるいは取り出し開口部等。さらに、個々のケースに応じて複数でも言及する。すなわち、別途言及がない限り例えば、複数の保持要素、複数のウェハポケット、複数の受入れスペース、複数のウェハポケットのウェハ部、複数のウェハポケットの残留部、複数の固定手段、複数の突起部、複数のノブ、複数のスパイク、複数の受容開口部、複数のスリーブ、複数の挿入片あるいは複数の取り出し開口部等。
【００１６】
本発明に係るウェハポケットの綴りは、複数のウェハポケットのためのディスペンサの中に挿入することができ、前記ディスペンサの中に取り出し可能に固定することができる。ウェハポケットの綴りは、各々ウェハを収容する２つ以上のウェハポケットの束と、束状のウェハポケットのための保持要素を含む。複数のウェハポケットは、保持要素によって互いに連結されている。各ウェハポケットは、ウェハを収容するウェハ部と、ウェハ部が取り出されたときに保持要素の中に残る少なくとも１つの残留部を有する。保持要素の中に残るそれぞれの残留部は、少なくとも１つの固定手段により保持されかつ取り外し不能に固定される。
【００１７】
本発明に係るディスペンサは、各々ウェハを収容し好ましくは保持要素によって保持される２つ以上のウェハポケットの束を収容し、各ウェハポケットは、ウェハを収容するウェハ部と、ウェハ部が取り出されたときにディスペンサの中に残る少なくとも１つの残留部を有する。またディスペンサは、ウェハポケットの束を収容する収容スペースと、ウェハポケットが取り出し方向にディスペンサからそれぞれ取り出すことができる少なくとも１つの取り出し開口部を有する。ウェハポケットの束は少なくとも１つの固定手段によりディスペンサの中に保持される。本発明によれば、少なくとも１つの固定手段によって保持されかつ取り外し不能に固定されるウェハポケットの残留部により、ディスペンサの中に取り出し可能に固定されるウェハポケットの綴りの保持要素によってウェハポケットの束の中のウェハポケットが組み合わされ互いに連結されている。このように、ウェハポケットの綴りは、保持要素と少なくとも１つの固定手段を含む。保持要素の中に保持され固定されるウェハポケットによって、ウェハ部が取り出される間保持要素の中に残る少なくとも１つのウェハポケットの残留部がディスペンサの中に固定される。
【００１８】
ディスペンサの中にウェハポケットの綴りを配置することにより、使用済みの綴りを交換可能となり、全てのウェハが使い果たされた後、新しいウェハポケットの綴りに交換可能となる。従ってディスペンサは複数回にわたって使用することができる。さらに、ウェハポケットの順序はこのように製造業者によって予め決められる。従って、ユーザが複数のウェハポケットをごちゃ混ぜにすることはできない。固定手段があることによってウェハポケットの残留部を更に確実に保持要素の中に残し、従ってもし改変がなされれば、複数のウェハポケットの順序によって容易に判断することができる。
【００１９】
保持要素は、保持要素の中に残る残留部を保持し分離不能に固定するように設計される。各ウェハポケットの残留部は、具体的には少なくとも１つの固定手段によって保持要素の中で把持によって固定されることが好ましい。このことは、複数のウェハポケットが圧入嵌合及び／又は形状嵌合によって保持要素の中に保持されることを意味する。
【００２０】
本発明の好適な実施例において、少なくとも１つの固定手段は、突起、ノブ、スパイク、輪ゴム、先端保持端の形、又は挿入片を受ける受容開口部の形で設計される。もちろん、圧入嵌合及び／又は形状嵌合作用によるその他の固定手段も考えられる。それらの幾つかの固定手段を組み合わせることも可能である。圧入嵌合（把持）作用による固定手段は特に好ましい。
【００２１】
例えば、複数の受容開口部が固定手段として使われる場合、例えば、挿入片を受けることができる。挿入片は、例えば、リベット、ねじ連結、鋲又はステープルの形で設計することができる。具体的には、受容開口部は、ステープル、マークツール、鋲又はリベットの鋭い針状端部を受け止めることができる。
【００２２】
これらの挿入片は、複数のウェハポケットの残留部又は複数のウェハポケットの残留部の束の部分を貫通して、保持要素の中の残留部を固定する。受容開口部は、メクラ穴又は貫通穴として設計することができる。受容開口部は、例えば、ロックすることによって形状嵌合で、又は圧入嵌合で、挿入片を受け入れることができる。
【００２３】
例えば、少なくとも１つの受容開口部を、保持要素の中に配置されたスリーブに位置させることができる。受容開口部は、具体的にはスリーブの中に軸対称に形成することができる。開口部はスリーブの中に主としてメクラ穴として形成することができる。ウェハポケットを固定するために、それぞれのウェハポケットの残留部及びスリーブの中の受容開口部の中に圧入され、そこでロックされるか、圧入嵌合で固定される。このようにして、保持要素は、受容開口部をもった少なくとも１つのスリーブを有し、保持要素を組み立てた状態で、挿入片の端部が各スリーブの受容開口部の中に圧入される。
【００２４】
突起部又はノブが固定手段として用いる場合は、複数のウェハポケットの残留部が束から外れないように、ウェハポケットの束に触れる面側に荒い表面が施される。あるいは、これらの面は尖ったエッジ又は先が尖った点、例えば、一端又は一点もしくは幾つかのエッジによって、例えば、互いに平行に延在するエッジ、例えば、整然と配列した複数の点として設計されてもよい。
【００２５】
幾つかの固定手段を用いる場合は、それらを単独で又は組み合わせて保持要素の中で用いてもよい。
【００２６】
さらに、固定手段が保持要素の中でウェハポケットの束のウェハ外袋の残留部のみを保持し分離不能に固定するだけでなく、２つの外側の残留部の間に配置される他の残留部をも確実に固定するために、残留部の全てを圧入嵌合、形状嵌合又は具体的には、材料の接着による嵌合、例えば、溶着又は接着剤による接着により互いに連結してもよい。
【００２７】
好適な実施例において、複数のウェハポケットの残留部の受入れスペースを形成するように、保持要素は少なくとも１つの壁、後壁、側壁、ベースプレート及びカバープレートを有することが好ましい。さらに、受入れスペースは、保持要素の少なくとも一方の側で、収容スペースに開放してもよい。例えば、収容スペースに開放する連結部が少なくとも一方の壁に位置し、この連結開口部を通じて少なくとも１つのウェハポケットが、受入れスペースの中に残留部を有しつつ、収容スペースに延在する。
【００２８】
本発明の好適な実施例において、複数のウェハポケットがそれぞれの残留部を介して、ベースプレートとカバープレートの間に分離不能に固定される。例えば、複数の残留部がベースプレートとカバープレートの間に把持される。ベースプレート及び／又はカバープレートは、少なくとも１つのウェハポケットを固定するための少なくとも１つの固定手段を有することが好ましい。
【００２９】
本発明の好適な実施例において、カバープレート及び／又はベースプレートは、それぞれ少なくとも１つの突起部及び／又は少なくとも１つのスパイク及び／又は少なくとも１つのノブを固定片として有してもよい。
【００３０】
本発明の他の実施例において、挿入片を挿入することができる固定要素としての受容開口部は、例えば、ベースプレート又はカバープレートの中に形成されてもよい。複数の固定手段を用いる場合は、個々に独立して又は組み合わせて用いてもよい。例えば、ベースプレートに１つ以上の受容開口部を形成する場合は、１つ以上の固定手段が、突起部、ノブ又はスパイクの形でカバープレートに追加的に施してもよい。これに対して、受容開口部をカバープレートに形成し、他の固定手段をベースプレートに形成してもよい。本発明の好適な実施例において、カバープレート及び／又はベースプレートのそれぞれがウェハポケットを固定するための突起部を有してもよい。あるいは、少なくとも１つのノブ又は少なくとも１つのスパイクをカバープレート及び／又はベースプレートの上に施してもよい。又は、カバープレート上に突起部を施し、ベースプレートの上に少なくとも１つのスパイク又は少なくとも１つのノブを施す、など。
【００３１】
本発明の特に好適な実施例において、ベースプレートは、２つ以上の受入れ要素例えばスリーブを有し、それぞれのスリーブが１つの穴を有し、その中に例えば残留部で少なくとも１つのウェハポケットを保持するステープル状の要素の端部が圧入嵌合又は形状嵌合により受容される。さらに、カバープレートは、固定要素として複数の突起部ノブ又はスパイクを有してもよい。
【００３２】
本発明の好適な実施例においては、保持要素は保持ブロックとして設計される。保持ブロックは、少なくとも１つの壁、具体的には、ともにウェハポケットの残留部のための受入れスペースを形成する後壁、側壁、ベースプレート及びカバープレートを有してもよい。受入れスペースは、複数のウェハポケットが受入れスペースに残留部を有しつつ収容スペースに延在できるように、収容スペースに向けて開放する。例えば、収容スペースに通じる連結開口部が少なくとも一方の壁に位置してもよい。
【００３３】
好適な実施例において、保持要素の２つの壁は、張力すなわち横方向の力が取り出し方向にウェハポケットにかけられたとき、ウェハ部が受入れスペースにある残留部から分離し、残留部は保持要素の中に残るように設計される。
【００３４】
ウェハポケットの特定の実施例においては、ウェハを収容しているウェハ部は、少なくとも１つの所定の破断線を介して少なくとも幾つかの部分で少なくとも１つの残留部と連結しており、破断線は少なくとも幾つかの部分に、ディスペンサからウェハポケットの取り出し方向に対して平行な拡張要素を有する。
【００３５】
本発明によれば、複数のウェハポケットはディスペンサの中に一緒に重ねられて束を形成し、保持要素によって一緒に保持され固定される。ウェハポケットの綴りはこのようにして形成される。ウェハポケットの綴りは、ディスペンサの中に収容される。ウェハが入ったウェハポケットのウェハ部は、引きはがされて束から分離され、ディスペンサから取り出し方向に取り出される。ウェハポケットが使われてなくなると、新しいウェハポケットの綴りがディスペンサに挿入される。
【００３６】
ウェハ部が取り出された後にディスペンサに残る残留部に所定の破断線を介してウェハ部が接続されている場合、かつ所定の破断線が、ディスペンサからウェハポケットの取り出し方向に対して平行な拡張要素を好適に少なくともある部分で有している場合、取り出し方向の張力によって、ウェハ部が少なくとも１つの残留部から容易に分離できるので、容器からウェハポケットの取り出しが極めて容易に行われる。かくして容器からウェハポケットの取り出しが容易になる。
【００３７】
ウェハポケットをディスペンサから取り出す方向に対して平行に延在する所定の破断線の拡張要素は、所定の破断線の少なくとも一部分の方向を決める要素であって、所定の破断線を取り出し方向に平行な方向かつ直角な方向に直角に分割して得られる。従って、所定の破断線が取り出し方向に対して０°〜９０°の範囲の角度で延在する場合、所定の破断線は、取り出し方向に対して平行に拡張する拡張要素と、取り出し方向に対して直角に拡張する拡張要素の両方を有する。所定の破断線と取り出し方向の間の角度が０°であれば、所定の破断線は取り出し方向に対して平行な拡張要素のみを有する。この場合、拡張要素の常態は所定の破断線の長さと同じである。所定の破断線と取り出し方向と間の角度が９０°の場合、所定の破断線は取り出し方向に直角な拡張要素のみを有し、取り出し方向に対して平行な拡張要素は有しない。所定の破断線の取り出し方向に対する角度は、好ましくは０°、すなわち、所定の破断線は取り出し方向に対して平行に延在するか、もしくは９０°、すなわち取り出し方向に対して直角に延在する。もし角度が０°より小さい場合は、少なくとも部分的には７５°、好ましくは４５°以下であることが好ましい。
【００３８】
所定の破断線がウェハ部と少なくとも１つの残留部の間に、取り出し方向に対して平行な拡張要素を有している場合、ウェハポケットのウェハ部は、ウェハポケットに取り出し方向に張力がかかると、ウェハポケットの少なくとも１つの残留部から容易に分離することができる。これによって、容器からウェハポケットの取り出しが容易となる。
【００３９】
本発明の好適な実施例において、２つの所定の破断線があり、この場合、所定の破断線はミシン目区分である。
【００４０】
本発明の他の好適な実施例において、ウェハ部は、少なくとも１つの所定の破断線と、さらにウェハポケットの中の少なくとも１つの切り込みを介して、いずれかの部分で少なくとも１つの残留部と接触する。
【００４１】
本発明の他の好適な実施例において、ウェハポケットの綴りは、互いに束状に連結された２８ないし３０のウェハポケットからなる。
【００４２】
本発明に係るウェハポケットの綴りは、本発明に係るディスペンサに入って使用に供される。このため、保持要素は、例えば、横棒又はロック片等の固定手段により形状嵌合又は圧入嵌合によりディスペンサの中に保持される。ウェハポケットが使用されてなくなれば、保持要素をディスペンサから取り出せるように、ディスペンサの中に取り出し可能に保持要素が固定される。ウェハポケットが使用されてなくなり残留部が残っている古い保持要素は取り出され、新しいウェハポケットの綴りがディスペンサの中に保持要素によって固定される。
【００４３】
保持要素によって一緒に固定された複数のウェハポケットの綴りが、ディスペンサの中に入れられ固定されるということによって、具体的にはディスペンサとは別個に製造、貯蔵、販売そしてユーザへの提供することといったウェハポケットの綴りの取り扱いが可能となる。ユーザは、最終的に、この綴りを個別に扱い、例えば、ディスペンサの中に自分で挿入し、あるいは単に該綴りを使うときまで保管しておくこともできる。製造過程でかかる綴りの中で決められたウェハポケットの順序は、従って取り扱いの各ステージにおいて維持される。従って個々のウェハポケットがまぜこぜになる事はありえない。このため、予め決められた服用計画、例えば、異なるマークがつけられたウェハポケットがユーザによって容易に組まれ、ウェハポケットの束の当初採用された順序が、配送段階でユーザの手に届くまでに変更されることはなく、あるいは、ユーザにより不正に取り扱われても変更されることはない。さらに、必要な場合には、残された複数のウェハポケットの残留部によって、ウェハポケットの綴りの中のウェハポケットの数と順序を随時確認することができる。
【００４４】
さらに、本発明は、ユーザがウェハポケットの綴りをディスペンサと一緒に、取り付けられた状態で買う必要はない、という利点もある。ユーザにとっては、複数のウェハポケットが互いに連結されているウェハポケットの綴りを個別に買えば済む。複数のウェハポケットが保持要素によって連結されて束になっているという事実は、取り扱い中にウェハポケットの順序が変更されない、ということを確実にする。その結果、ディスペンサは複数回にわたって使用することができる。すなわち、ウェハポケットを使い切っても、ユーザはディスペンサを捨てる必要はなく、製造業者に返却する必要もない。製造業者に返却する場合は、相当な輸送コストが生じる。
【００４５】
ウェハポケットは、通常キャリアフィルムとカバーフィルム、すなわち内フィルムと外フィルムからなる。カバーフィルムすなわち外フィルムは、好ましくはカバーフィルムすなわち外フィルムの両側端に沿って延在する帯状の連結部を介して、キャリアフィルムすなわち内フィルムに連結し、例えば接着、密封又は溶着することができる。さらに、特に好適な実施例においては、キャリアフィルムすなわち内フィルムとカバーフィルムすなわち外フィルムは、少なくとも一方のエッジに互いに連結されていない飛び出たタブをそれぞれ有することができる。２つのフィルムを容易に掴むことができるので、内フィルムと外フィルムを引き剥がしてウェハポケットを開け、ウェハポケットに入ったウェハを取り出すことが更に容易にできる。引き裂きノッチを使ってウェハポケットを開くことができる。連結することによって、形成された部分の内側に好ましくは気密かつ防湿性を持たせて、キャリアフィルムすなわち外フィルムとカバーフィルムすなわち内フィルムの間に、ウェハが取り囲まれる。フィルム袋は小さな盛り上がった部分を有するが、それは構造によるものかウェハによるものであるが、これはその部分に限られる。
【００４６】
本発明に係るディスペンサは、好ましくは厳密な服用処方が望ましいあるいは必要な医療用ウェハを保管、供給するために使用することができる。
【００４７】
本発明に係るディスペンサは、通常ベースパーツとカバーパーツとからなる。これら２つのパーツは、具体的にはそれぞれ半分ずつの外殻の形で、連結すると収容スペースを形成するように設計することができる。２つのパーツは、具体的には圧入嵌合又は形状嵌合によって互いに連結することができる。例えば、カバーパーツは、ベースパーツに乗せロックしてもよい。その中に収容されたウェハポケットの束が脱落しないように、２つのパーツは使用中は互いにしっかりと連結されていることが必要である。しかし、ウェハポケットの束を有する新しいウェハポケットの綴りがディスペンサの中に挿入できるように、カバーパーツはベースパーツから容易に取り外しができる（分離できる）ことが必要である。他の実施例において、２つの外殻は、相対的に、例えば取り出し方向に対して平行に可動式に設計されてもよい。このため、外殻はスライド・ガイド、例えばリニア・スライド・ガイドにより設計してもよい。他の実施例において、ベースパーツとカバーパーツは、互いに関節でつないだ連結式としてもよい。例えば、それぞれベースパーツに対して好ましくはベースパーツの幅の狭い側で関節でつないだ連結式のカバーパーツを２つの独立パーツとしてもよい。もちろん、ベースパーツも、好ましくはカバーパーツの幅の狭い側でカバーパーツと関節でつないだ連結式の２つの独立パーツで構成されてもよい。ベースパーツとカバーパーツは好ましくは、ディスペンサが人間工学的もしくは設計上の考慮の元にほぼ長方形に形成されてもよく、例えば、側面に握りくぼみ、握り溝又は他の構造及び／又は丸みをつけた及び／又は面取りしたエッジとコーナーとしてもよい。
【００４８】
使用中、ディスペンサは複数のウェハを入れたウェハポケットの綴りの束を収容する。この束は、保持要素によって一緒に保持される。本発明によれば、保持要素と保持要素に保持されたウェハポケットの束からなるユニットは、不正な又は不注意によるウェハポケット及び残留部の取り外しを防ぐために、例えばしっかりと連結された保持用モジュール蓋で保持要素が密封され、このユニットは、容易に挿入できかつウェハポケットの綴り又はウェハポケットの綴りの残留部が残った保持要素が、ウェハを使い切った後に容易に取り外しできるように、具体的にはディスペンサの中に取り外し可能に固定することができる。この目的で、ウェハポケットの綴りの保持要素を固定するために、当業者に公知の適切なスナップ式の連結部、適切なレール又はロッキング要素又は、例えば面ファスナーあるいは、保持要素がフィットする単なる小箱の形の固定手段を用いてもよい。あるいは、圧入嵌合した連結部は、例えば、ディスペンサの中のくぼみ又は小箱に保持要素を圧入して得ることもできる。いずれにしても、保持要素を分離可能に保持するための適切なデバイスが、必要に応じて、ディスペンサの内部に設けることができる。
【００４９】
ウェハポケットの束を保持する保持要素は、ウェハポケットが保持要素から個々に分離できるようにディスペンサに挿入されることが好ましい。このため、最上部のウェハポケットが、例えばウェハポケットが延在する主要な方向に平行に保持要素から分離されるようなアレンジメントを選択することが特に好ましい。従って、本発明の好適な実施例において、保持要素は具体的にはディスペンサの内側の端部、ウェハポケットが横方向に引っ張ることによって保持要素から分離でき、続いてディスペンサから取り出せるように取り付けられる。ウェハポケットが、引きはがされることによって束から分離する方向は、ウェハポケットがディスペンサから取り出される方向と同じであることが好ましい。従って、ディスペンサにおいて取り出し方向は、ウェハポケットがディスペンサから押し出される方向に決めることができる。
【００５０】
他の実施例において、ディスペンサに中で収容スペースから保持要素の受入れスペースを隔てる壁は、具体的には容器からウェハポケットを取り出す方向にウェハポケットに張力がかけられた場合に、ウェハポケットのウェハ部が少なくとも１つの受入れスペースに延在するウェハポケットの残留部から容易に分離するように設計されてもよい。壁によって受入れスペースが収容スペースから隔てられている場合は、少なくとも１つの受入れスペースに延在する残留部を分離するノッチングツールの形で設計されることが特に好ましい。ノッチングツールのノッチ効果により、受入れスペースに残る残留部からウェハ部の引き剥がしが容易にできる。このように、ウェハを入れたウェハポケットの部分が小さな張力で保持要素から分離でき、かくしてディスペンサから取り出すことができる。具体的には、壁は、容器からウェハポケットを取り出す方向に対向する対向部として作用するノッチ刃を有することができる。この目的で、例えば、端部に向かって片側又は両側に角度を持たせることによって、壁はノッチ端にカッターを形成することができる。
【００５１】
保持要素の中に複数の受入れスペースを設けられた、特に本発明の目的にかなった実施例において、本発明に係るディスペンサは、保持要素は２つの受入れスペースにそれぞれ残留部を受け入れることができるように設計される。この保持要素の２つの受入れスペースによって受け入れられる残留部はそれぞれ、ウェハポケットの２つのコーナーの一方に設けられる。保持要素の２つの受入れスペースの間に、収容スペースに向かって開口するウェハポケットのためのもうひとつのスペースを設け、このスペースにウェハポケットの中央部分が延在する。受入れスペースの中に延在する残留部からウェハ部が分離されるとき、好ましくはこの中央部分がウェハポケットの主要部分と連結されていて、キャリアフィルムすなわち内フィルムとカバーフィルムすなわち外フィルムがこのエリアで互いに連結されていない場合には、具体的には引き裂き開封するための手がかりとして作用する。それぞれ１つの連結開口部を有する２つの受入れスペースと、収容スペースからそれぞれの受入れスペースを隔てるそれぞれ１つの壁を有する保持要素の場合は、ウェハポケットのコーナー付近にそれぞれ２つの残留部を設けることができる。
【００５２】
第１の特に好適な実施例において保持要素が保持ブロックの形で設計される場合は、特に好適であるが、好ましくは長手側に配置される後壁と幅の狭い側に配置される２つの側壁が互いに接触してベースプレート上に置かれ、その上にカバー要素が置かれる。さらに、１つ以上の固定手段がベースプレート及び／又はカバープレートに配置される。複数のウェハポケットが挿入された後、複数のウェハポケットの残留部の上にカバープレートが置かれ、側壁に固定してもよい。複数の残留部は、複数のウェハポケットが保持ブロックの中にしっかり保持されるように、しっかりと把持される。カバープレートは、具体的には、残留部が脱落しないようにすること、あるいは収容スペースから取出されないようにすることを意図しており、従ってウェハポケットの束の中のウェハポケットは保持ブロックに圧入嵌合及び／又は形状嵌合により連結される。
【００５３】
例えば、カバープレートは、圧入嵌合又は形状嵌合及び／又は材料接着により壁の上端部分に接続してもよい。例えば、凸部を受け入れる壁上部に窪み、すなわち繋ぎ目部を設け、例えば、カバープレートをロックして係合、及び／又はカバープレートを壁に溶着又は接着する。好ましくは、カバープレートは、例えば超音波により壁に溶着される。あるいはカバープレートにロッキングウェブ又はロッキングタブ等のロッキング要素をもたせ、側壁、後壁又は側壁の窪みと形状嵌合によりロックしてもよい。連結部は全て、開口部により保持要素を目で見ながら分解できるように構成される必要がある。
【００５４】
保持要素は、ディスペンサのウェハポケットの取り出し開口部の反対側に、配置することができる。具体的には取り出し開口部は、取り出しスリットの形で設計することができる。
【００５５】
ウェハポケットが容器からスムーズに取出せるようにするための、収容スペースの中にウェハポケットが出てくるための駆け上がり斜面が形成されることが好ましい。駆け上がり斜面により、出ようとするウェハポケットが取り出し開口部を通ってガイドされる。
【００５６】
最上部のウェハポケットを容器から取り出しができるようにするために、最上部のウェハポケットを指で前方に押し出すことができるように、グリップ開口部が、ディスペンサの主外表面、例えば、カバー部に形成されてもよい。好ましくは、このグリップ開口部は、ディスペンサの外表面に取り出し方向に対して平行に楕円形に形成される。グリップ開口部を通じて、最上部のウェハポケットが指で押され、取り出し開口部を通って外に押し出される。
【００５７】
あるいは、特許文献６の場合のように、最上部のウェハポケットと圧接し、指で回すとウェハポケットをディスペンサの外に搬送するデバイスすなわち、搬送ローラ又は搬送輪が設けられてもよい。
【００５８】
さらに、本発明に係るディスペンサの取り出し開口部に接する面に、表示面を設け、時間情報を貼付することもできる。この時間情報は、例えば、カレンダー日付の形でもよく、具体的には曜日でもよい。後者の場合、７つの領域を互いに並べて好ましくは取り出しスリットに平行して、表示面に貼付してもよい。この時間情報は、例えば、時間情報を示すラベルを表示面に貼付してもよい。時間情報はユーザによって個々に貼付される。
【００５９】
この時間情報は、あるウェハポケットを取出そうとするとき、当該ウェハポケットが処方された時間間隔で取出されているかユーザが確認できるということを意味する。これを行うために、それぞれのウェハポケットが、ウェハポケットのマーキング端に接するエリアに互いに接して配置された幾つかのマーキング部の１つに、マーキングを有し、それぞれのマーキングをウェハポケットに順次連続するマーキング部を、束の中に階段状に配置する。マーキング端のマーキング部は順次、ディスペンサ上の時間情報領域に対応して配置され、ウェハポケットが取出されるとき、これと同一平面となる。このため、具体的には表示面上の時間情報領域の幅とマーキング部の幅が同じとされる。ウェハの１つを毎日の服用することを含む処方の場合、時間情報は曜日の形となる。この場合、このような七曜日が表示面に示される。
【００６０】
同様に、それぞれ１つのマーキングを有する７つのマーキング部が各ウェハポケットの上に施される。あるウェハポケットが取出されるとき、このウェハポケットのマーキングが曜日の１つと同一平面となり、ユーザは、マークされた曜日が実際の曜日と一致するか確認することができる。
【００６１】
本発明に係るディスペンサは、偽造物対策が施してあることが好ましい。このため、ディスペンサは本物であること確かめることができるマイクロスクリプト、ホログラム、傾斜イメージその他の安全特性等の１つ以上の安全特性をディスペンサに刻みこむことができる。同様に、偽造物の可能性を排除できるようにするために、ウェハポケットの上にもこの種の安全特性を施すことができる。
【００６２】
以下に説明する図は、本発明の好適な実施例を示す。しかし、本発明はこれらの実施例に限定されるものではない。これらの実施例は単に本発明を図示するためのものに過ぎない。
【図面の簡単な説明】
【００６３】
【図１】図１は、本発明の第１の実施例に係る保持要素の斜視図であり、分離して描かれたカバープレート及び保持ブロックに挿入可能なウェハポケットを有する上方に開放する保持ブロックの図である。
【図１ａ】図１ａは、図１と同様の本発明の第１の実施例における上方に開放する保持ブロックを示す図である。
【図１ｂ】図１ｂは、本発明の第２の実施例における上方に開放する保持ブロックを示す図である。
【図１ｃ】図１ｃは、本発明の第３の実施例における上方に開放する保持ブロックを示す図である。
【図１ｄ】図１ｄは、本発明の第４の実施例における上方に開放する保持ブロックを示す図である。
【図１ｅ】図１ｅは、本発明の第５の実施例におけるウェハポケットの束と開いたカバープレートを有する保持ブロックとを示す斜視図である。
【図１ｆ】図１ｆは、図１ｄに示す本発明の第４の実施例におけるウェハポケットの束と開いたカバープレートを有する保持ブロックとを示す斜視図である。
【図１ｇ】図１ｇは、図１ｃに示す本発明の第３の実施例におけるウェハポケットの束と開いたカバープレートを有する保持ブロックとを示す斜視図である。
【図１ｈ】図１ｈは、図１に示す実施例の変形例におけるウェハポケットを示す斜視図である。
【図２】図２は、図１に示す本発明の第１の実施例に係る保持ブロックにウェハポケットの束を搭載することによって得られるウェハポケットの綴りを示す斜視図である。
【図３】図３は、最上部のウェハポケットが引きはがされた後の図２に示すウェハポケットの綴りを示す斜視図である。
【図４】図４は、図１ｃに示す本発明の第３の実施例における保持ブロックによってともに保持されたウェハポケットの束を有するウェハポケットの綴りを示す斜視図である。
【図５】図５は、図１ｃに示す保持ブロックが挿入された本発明に係るディスペンサを形成するベース部及びカバー部を示す斜視図である。
【図６】図６は、本発明に係る使用可能状態のディスペンサを示す斜視図である。
【図７】図７は、回転式表示輪を有する本発明に係るディスペンサを示す斜視図である。
【発明を実施するための形態】
【００６４】
図において、同一の参照番号は、同一の機能を有する構成要素を示す。
【００６５】
図１に示す本発明の第１の実施例に係るフォルダーブロック１０は、ベースプレート１１、複数の側壁すなわち左側壁１２．１、右側壁１２．２及び後壁１２．３、及びカバープレート１３から構成され、これらにより受容スペース１４を形成する。ベースプレート１１及びカバープレート１３はそれぞれ固定片１９を有する。これらの固定片１９は、三角形の横断面を持った角柱状の突起部として設計される。突起部は、面をそれぞれベースプレート１１又はカバープレート１３に向け、後壁１２．３に平行に延在する。フォルダーブロック１０が閉じられたときに、残留部２４が保持され外れないように突起部１９の間に固定されるように、突起部のひとつがウェハポケット２０の残留部の方向に向く。フォルダーブロック１０を閉じるときは、カバープレート１３を壁１２．１、１２．２、 １２．３の上に置き、外れないように契合し、ウェハポケット２０をその中に置いてフォルダーブロック１０を組み立てる。フォルダーブロック１０は、複数のウェハポケット２０を保持し、固定片１９を介してそれらを固定する。また、カバープレート１３は、ロッキングウェブ１３．１、１３．２の形のロック片を持ち、フォルダーブロック１０を組みたてるときに、壁１２．１、１２．２の対応する窪み１２．１１、１２．２１の中に係合し、そこでロックされる。
【００６６】
ウェハポケット２０は、ウェハ部２１と残留部２４を有する。ウェハ部２１と残留部２４は、ウェハポケット２０の切り込み２７を介して互いに接する。切り込み２７の領域では、ウェハ部２１と残留部２４とは互いに連結していない。ウェハ部２１と残留部２４は、２つのミシン目区分、すなわち左側ミシン目区分２８．１と右側ミシン目区分２８．２を介して互いにつながっているだけである。これら２つのミシン目区分２８．１、２８．２は、ウェハ部２１がディスペンサから取り出される、ウェハポケット２０の取り出し方向Ａに平行に延在する。ミシン目区分は、このように取り出し方向Ａに対して平行に拡張要素（ライン２９で示す）を有する。
【００６７】
図１ａは、幾つかの変更例の一つであって、図１と同様の本発明の第１の実施例に係る、まだ閉じられていないフォルダーブロック１０を示す。この実施例において、ベースプレート１１とカバープレート１３は、それぞれ突起部１９を有し、これらの突起部１９は固定片１９として設計されている。本実施例において、突起部１９は三角形をしており、複数のウェハポケットの残留部を固定するために、三角形の突起部１９の一端がそれぞれフォルダーブロック１０の内側、すなわち受容スペース１４を向いている。後壁１２．３及び側壁１２．１、１２．２は、蓋１３を固定できるように受容スペース１４に向かって段が切られている。
【００６８】
図１ｂは、本発明の第２の実施例に係る、まだ閉じられていないフォルダーブロック１０の他の変更例を示す。図１ａの実施例と異なり、この場合の固定片はスパイク１９として設計されている。４つのスパイク１９がベースプレート１１の上に配置され、４つがカバープレート１３に配置されている。
【００６９】
図１ｃは、本発明の第３の実施例に係る、まだ閉じられていないフォルダーブロック１０の他の変更例を示す。本実施例において、フォルダーブロック１０は更に側壁１５．１、１５．２を有し、その間に、連結開口部１８を有する。このように、挿入される複数のウェハポケットの残留部（図示せず）は、ウェハ部２１が切り離されたとき、フォルダーブロック１０の受容スペース１４の中でよりよく保持される。本実施例においては、残留部とウェハ部は、連結開口部１８の領域のみで互いに連結されている（図示せず）。本実施例においては、後壁１２．３は窪み１２．１１、１２．２１を有する。また、側壁１５．１、１５．２も、それぞれ窪み（図示せず）を有する。カバープレート１３のロッキングタブ１３．１、１３．２が後壁１２．３の窪み１２．１１、１２．２１及び側壁１５．１及び１５．２の窪みと係合し、その中でロックする。このようにして、カバープレート１３がフォルダーブロック１０の中で固定される。
【００７０】
図１ｄは、本発明の第４の実施例に係る、まだ閉じられていないフォルダーブロック１０の他の変更例を示す。図１ａと異なり、この場合は、定片はスリーブ１６の中に導入される穴１９の形で設計される。４つのかかるスリーブ１６がベースプレート１１の上に位置し、図１ｃと同様に、カバープレート１３は、側壁１２．２、１２．３の窪み１２．１１（見えず）、１２．２１と係合しそこでロックするロッキングタブ１３．１、１３．２を有する。
【００７１】
図１ｅは、ウェハポケット２０の束と本発明の第５の実施例に係るまだ閉じられていないフォルダーブロック１０の斜視図を示す。フォルダーブロック１０は、固定片１９、ここではベースプレート１１とカバープレート１３上の突起部１９．１、とベースプレート１１上のスリーブ１６の４つの穴１９．２の組み合わせを有する。複数のウェハポケット２０は、図１のウェハポケット２０と実質的に同じであり、残留部２４には、複数のウェハポケット２０すなわち束を一緒に保持するためのステープルの形の挿入片３０が追加して施されている。連結片３０の後部パーツを示す。開放ステープルは、スリーブ１６の穴１９の中の開放端と係合し、フォルダーブロック１０の中のウェハポケットの束を固定する。ウェハポケットの束は、更にベースプレート１１及びカバープレート１３上の突起部１９．１により固定される。
【００７２】
図１ｆは、ウェハポケット２０の束と、図１ｄに示す本発明に係る第４の実施例の変形例としての、まだ閉じられていないフォルダーブロック１０の斜視図を示す。
【００７３】
図１ｇは、幾つかが使用されたウェハポケット２０の束と図１ｃに示す本発明に係る第３の実施例の変形例としての、まだ閉じられていないフォルダーブロック１０の斜視図である。複数のウェハポケット２０がフォルダーブロック１０に挿入されたときに側壁１５．１、１５．２がこれらの切り込み２７を通過するように、図１のウェハポケット２０と比べウェハポケット２０の両脇の切り込み２７が広く作られている。残留部２４は連結開口部１８の領域のみでウェハポケット部２１と連結している。このように、ウェハポケット部２１は、取り出すときに残留部２４から更に容易に分離できる。
【００７４】
図１ｈは、ウェハポケット２０の変形例を示す。これは、ミシン目区分２８．１、２８．２が取り出し方向Ａに対して平行に延在していない点、及びその代わりに０°以外の角度で延在している点で図１に示すものとは異なっている。取り出し方向Ａに対して平行な拡張要素２９も同時に示す。
【００７５】
図１を参照すると、ウェハポケット２０がフォルダーブロック１０に取付けられる。このように、ウェハポケットの残留部２４はフォルダーブロック１０内に位置し、一方、ウェハ部２１はフォルダーブロック１０の外側に位置する。例えば、２８ないし３０個のウェハポケット２０がフォルダーブロック１０内に置かれた後、カバープレート１３が壁１２．１、１２．２、１２．３の上に載せられ、ロックされるか及び／又は超音波で溶着される。
【００７６】
図２は、上記のように組み立てられた、フォルダーブロック１０とウェハポケット２０の束を含むウェハポケットの綴り１００を示す。
【００７７】
図３はさらに、フォルダーブロック１０から引き裂かれた最上部のウェハポケット２０’のウェハ部２１’を示す。このために、最上部のウェハポケット２０’のウェハ部２１’が予め形成されたミシン目区分２８．１、２８．２の領域で、フォルダーブロック１０に残る残留部（図示せず）から引きはがされるように、張力が取り出し方向Ａにかけられる。
【００７８】
図４は、図１ｇに示す本発明に係る実施例と同じウェハポケット２０を保持する、ウェハポケット２０の束とフォルダーブロック１０で形成されるウェハポケットの綴り１００を示す。
【００７９】
図５は、本発明に係るディスペンサ１を形成するベースパーツとカバーパーツを示す。ベースパーツは参照番号２で示され、カバーパーツは参照番号３で示される。フォルダーブロック１０によって束として一緒に保持されるウェハポケット２０を有するフォルダーブロック１０が、ベースパーツ２の中に挿入される。図示する目的で、フォルダーブロック１０は開かれた状態で、すなわちカバープレートが取付けられていない状態で示す。通常の使用においては、フォルダーブロック１０は、ウェハポケット２０が脱落できない、あるいは取りだせないようにカバープレートによって閉じられている。カバープレートには、ウェハ部２１の中央部分から残留部２４を押さえる固定片１９が施されている。フォルダーブロック１０は、たとえディスペンサ１が開放されたとしても脱落しないように、ベースパーツ２にロックされている。さらに、フォルダーブロック１０及びウェハポケット２０の束全体が、最上部のウェハポケット２０がディスペンサ１の外に向かって押し出されるようにベースパーツ２に固定される。パーツ２、３はともにウェハポケット２０の束のための収納スペース９を形成する。
【００８０】
ウェハポケット２０の束を有するフォルダーブロック１０が挿入された後、フォルダーブロック１０を含むウェハポケット２０の束を容易に交換できるように、カバーパーツ３が取り外し可能にベースパーツ２に連結され固定される。
【００８１】
ディスペンサ１から最上部のウェハポケット２０を取り出すときは、カバーパーツ３の開口部４を通して置かれた指を使って、前記ウェハポケット２０を取り出し方向’Ａに押し出す。このように、押す力と引く力が合成され、最上部のウェハ部２１のウェハポケット２０が、受容スペース１４のフォルダーブロック１０に残るウェハポケット２０の残留部２４から引きはがされ、フォルダーブロック１０から分離するように最上部のウェハポケット２０にかかる。ウェハ束から分離された後、最上部のウェハポケット２０のウェハ部２１を取り出すために、カバーパーツ３に取り出しスリット５があり、この取り出しスリット５は、カバーパーツ３の幅が狭い側かつ、例えばカバーパーツ３の側端に位置する。分離した最上部のウェハポケット２０が確実に取り出しスリット５の中に安全にガイドされ通過するように、ベースパーツ２に駆け上がり斜面６が、フォルダーブロック１０が固定されている側の反対側の狭い側のベースパーツ２の内壁に、具体的には、取り出しスリット５の領域に位置している。最上部のウェハポケット２０に取り出し方向Ａに力がかけられることによって、最上部のウェハポケット２０のウェハ部２１は、フォルダーブロック１０から分離された後、取り出し方向Ａに搬送され、駆け上がり斜面６を越え、取り出しスリット５から直接外へ押し出され、そこでユーザによって取り出されることができる。
【００８２】
さらに、ユーザによって貼付される曜日を示すリボン状のテープ７がカバーパーツ３に見られる。このリボン状のテープ７は取り出しスリット５に隣接しかつ平行に表示面に貼付される。曜日を示す７つの区画が互いに隣合せに配置され、ウェハポケット２０が取り出しスリット５から取り出されるときに、ウェハポケット２０のマーキング端２２に隣接する対応するマーキング部と同一平面となっている。各ウェハポケット２０上に、マーキング部の１つに位置するマーキングが位置し、曜日を示す区画の一つと同一平面となり、このようにして取り出されたウェハポケット２０のウェハ部２１に入っているウェハの服用されるべき曜日を示す（図示せず）。それぞれのウェハの服用を確実に監視することが可能となる。ウェハを入れた複数のウェハポケット２０は連続した曜日に服用されることを意図しているので、束に連続して配列された複数のウェハポケット２０は、連続するマーキング部にマーキングを有する。他の投与サイクルも対応する方法で予め決めることができる。
【００８３】
図６は、使用可能状態にある本発明に係るディスペンサ１を示す。このため、カバーパーツ３はベースパーツ２の上に取付けられている。両パーツ２、３は、フォルダーブロック１０内のウェハポケット２０の束が交換できるように、互いに分離可能に連結される。本図では、曜日を示すリボン状のテープは貼付されていない。図示の都合で、曜日を示すリボン状テープを貼付することができる表示面８のみが示されている。
【００８４】
図７は、開ポジションと閉ポジションにある回転式表示輪３０を有する本発明に係るディスペンサの他の実施例を示し、表示輪３０は、曜日を示すリボン状のテープに代わり、曜日を特定する役割をする。
【図１】
2013515526.tif 000003
【図１ａ】
2013515526.tif 000004
【図１ｂ】
2013515526.tif 000005
【図１ｃ】
2013515526.tif 000006
【図１ｄ】
2013515526.tif 000007
【図１ｅ】
2013515526.tif 000008
【図１ｆ】
2013515526.tif 000009
【図１ｇ】
2013515526.tif 000010
【図１ｈ】
2013515526.tif 000011
【図２】
2013515526.tif 000012
【図３】
2013515526.tif 000013
【図４】
2013515526.tif 000014
【図５】
2013515526.tif 000015
【図６】
2013515526.tif 000016
【図７】
2013515526.tif 000017
【国際調査報告】
2013515526.tif 000018
2013515526.tif 000019
2013515526.tif 000020
2013515526.tif 000021
2013515526.tif 000022
2013515526.tif 000023